【手続補正書】
【提出日】平成19年1月18日(2007.1.18)
【手続補正１】
【補正対象書類名】明細書
【補正対象項目名】特許請求の範囲
【補正方法】変更
【補正の内容】
【特許請求の範囲】
【請求項１】  各々が少なくとも１つの送信手段（６０）を有する少なくとも２つの送信端末（２０）から、空間ダイバーシティ受信手段（８０）を有する少なくとも１つの受信端末（４０）に複数のデータ信号（５０）を送信する方法であって、
上記データ信号の変換されたものである、複数の変換されたデータ信号（７０）を上記送信端末（２０）から送信し、上記変換されたデータ信号（７０）の少なくとも２つの信号の少なくとも関数である複数の受信データ信号を上記空間ダイバーシティ手段（８０）で受信するステップと、
上記受信端末（４０）において上記受信されたデータ信号の少なくとも２つをサブバンド処理する（９０）ステップと、
上記受信端末において、複数のサブバンド処理された受信されたデータ信号（１４０）から、上記複数のデータ信号（１２０）の複数の推定値を決定するステップとを備えた方法。
【請求項２】  上記送信は実質的に同時に実行される請求項１記載の方法。
【請求項３】  上記複数の変換されたデータ信号のスペクトルは、少なくとも部分的にオーバーラップしている請求項１記載の方法。
【請求項４】  上記受信端末において上記複数のデータ信号の上記複数の推定値を決定するステップは、１つのサブバンドずつ実行される請求項１記載の方法。
【請求項５】  上記受信端末において、複数のサブバンド処理された受信されたデータ信号から、上記複数のデータ信号の上記複数の推定値を決定するステップは、少なくとも１つのデータ信号に関してさらに、
１つの選択されるデータ信号を上記データ信号から選択するステップと、
上記複数のサブバンド処理された受信されたデータ信号から上記選択されたデータ信号の推定値を決定するステップと、
上記選択されたデータ信号の上記推定値に基づいて上記複数のサブバンド処理された受信されたデータ信号を修正するステップと、
上記複数の修正されたサブバンド処理済みの受信されたデータ信号から、上記複数の残りのデータ信号の複数の推定値を決定するステップとを備えた請求項１記載の方法。
【請求項６】  １つのデータ信号を選択する上記ステップは、上記データ信号の受信電力に基づいて実行される請求項５記載の方法。
【請求項７】  １つのデータ信号を選択する上記ステップは、上記データ信号の干渉比に基づいて実行される請求項５記載の方法。
【請求項８】  上記受信端末において、複数のサブバンド処理された受信されたデータ信号から上記複数のデータ信号の上記複数の推定値を決定するステップは、少なくとも１つのデータ信号に関してさらに、
１つの選択されるデータ信号を上記データ信号から選択するステップと、
上記複数のサブバンド処理された受信されたデータ信号から、上記選択されたデータ信号の複数の推定値を決定するステップと、
修正されたサブバンド処理済みの受信されたデータ信号の各々が上記選択されたデータ信号の上記推定値の１つに基づいている、複数の上記修正されたサブバンド処理済みの受信されたデータ信号を決定するステップと、
上記複数の修正されたサブバンド処理済みの受信されたデータ信号から上記残りのデータ信号の少なくとも１つの信号の複数の推定値を決定するステップと、
その後に上記選択されたデータ信号の上記推定値の１つを選択するステップと
を備えた請求項１記載の方法。
【請求項９】  １つのデータ信号を選択する上記ステップは、上記データ信号の干渉比に基づいて実行される請求項８記載の方法。
【請求項１０】  上記サブバンド処理に関係する複数のサブバンドは、少なくとも１つのセットが少なくとも２つのサブバンドを備えた複数のセットにグループ分けされ、
上記受信端末において、上記複数のデータ信号の上記複数の推定値を決定するステップは、
上記複数のデータ信号と複数のサブバンド処理された受信されたデータ信号との間の関係を１セットずつ決定するステップと
上記複数のデータ信号を決定するために、上記複数のデータ信号と上記複数のサブバンド処理された受信されたデータ信号との間の上記複数の関係を利用するステップとを備えた請求項１記載の方法。
【請求項１１】  複数の変換されるデータ信号（７０）への上記複数のデータ信号（５０）の上記変換は、逆サブバンド処理（１６０）を備えた請求項１記載の方法。
【請求項１２】  上記受信端末において、複数のサブバンド処理されたデータ信号から、上記複数のデータ信号の複数の推定値を決定する（１５０）ステップは、
上記受信端末において、上記複数のサブバンド処理された受信されたデータ信号から、上記複数のデータ信号の複数の中間推定値（１３０）を決定する（１００）ステップと、
上記複数の中間推定値を逆サブバンド処理すること（１１０）によって、上記複数のデータ信号の上記複数の推定値（１２０）を取得するステップとを備えた請求項１記載の方法。
【請求項１３】  複数の送信されるデータ信号への上記複数のデータ信号の上記変換はさらに、ガードインターバルの導入を備えた請求項１記載の方法。
【請求項１４】  上記サブバンド処理は、直交周波数分割多重分離である請求項１記載の方法。
【請求項１５】  上記逆サブバンド処理は、直交周波数分割多重化である請求項１１及び１２記載の方法。
【請求項１６】  上記複数のデータ信号の決定は本質的に、上記複数の受信されたデータ信号の個々の空間シグネチャに基づいている請求項１記載の方法。
【請求項１７】  １つの空間ダイバーシティ送信手段（２２０）を有する少なくとも１つの送信端末（２４０）から少なくとも１つの受信手段（３２０）を有する少なくとも２つの受信端末（３３０）に複数のデータ信号（２００）を送信する方法であって、
上記複数のデータ信号の変換されたものである、複数の合成されたデータ信号（３００）を上記送信端末において決定する（２５０）ステップと、
上記複数の合成されたデータ信号を逆サブバンド処理する（２６０）ステップと、
複数の逆サブバンド処理された合成されたデータ信号を上記空間ダイバーシティ手段（２２０）で送信するステップと、
上記複数の逆サブバンド処理された合成されたデータ信号の少なくとも関数である複数の逆サブバンド処理された受信データ信号を、上記受信端末（３３０）の少なくとも１つの上記受信手段（３２０）の少なくとも１つで受信するステップと、
上記複数の逆サブバンド処理された受信されたデータ信号から、上記複数のデータ信号の複数の推定値を決定するステップとを備えた方法。
【請求項１８】  複数の逆サブバンド処理された合成されたデータ信号の上記送信は、実質的に同時に実行される請求項１７記載の方法。
【請求項１９】  上記複数の逆サブバンド処理された合成されたデータ信号のスペクトルは、少なくとも部分的にオーバーラップしている請求項１７記載の方法。
【請求項２０】  上記送信端末において、複数の合成されたデータ信号を決定するステップは、１つのサブバンドずつ実行される請求項１７記載の方法。
【請求項２１】  上記送信端末において上記複数のデータ信号の上記複数の推定値を決定するステップは、サブバンド処理（３５０）を備えた請求項１７記載の方法。
【請求項２２】  上記送信端末において、複数の合成されたデータ信号を決定するステップは、
上記複数のデータ信号をサブバンド処理すること（２８０）によって、複数の中間合成データ信号（２９０）を決定するステップと、
上記複数の中間合成データ信号から上記複数の合成されたデータ信号を決定する（２７０）ステップとを備えた請求項１７記載の方法。
【請求項２３】  上記サブバンド処理は、直交周波数分割多重分離である請求項２１及び２２記載の方法。
【請求項２４】  上記逆サブバンド処理は、直交周波数分割多重化である請求項１７記載の方法。
【請求項２５】  逆サブバンド処理に関係している上記複数のサブバンドは、少なくとも１つのセットが少なくとも２つのサブバンドを備えた複数のセットにグループ分けされ、
上記送信端末（２４０）において複数の合成されたデータ信号（３００）を決定する（２５０）ステップは、
上記複数のデータ信号と上記複数の合成されたデータ信号との間の関係を１セットずつ決定するステップと、
上記複数のデータ信号を決定するために、上記複数のデータ信号と上記複数の合成されたデータ信号との間の上記複数の関係を利用するステップとを備えた請求項１７記載の方法。
【請求項２６】  上記複数の逆サブバンド処理された合成されたデータ信号にはガードインターバルが導入される請求項１７記載の方法。
【請求項２７】  複数の合成されたデータ信号の上記決定は本質的に、上記複数の送信される逆サブバンド処理済みの合成されたデータ信号の個々の空間シグネチャに基づいている請求項１７記載の方法。
【請求項２８】  少なくとも２つの受信されたデータ信号からデータ信号の推定値を決定する装置であって、
少なくとも１つの空間ダイバーシティ受信手段（８０）と、
上記空間ダイバーシティ受信手段で上記複数の受信データ信号を受信するために設けられた回路部と、
上記受信されたデータ信号の少なくとも２つをサブバンド処理する（９０）ために設けられた回路部と、
複数のサブバンド処理された受信されたデータ信号から上記複数のデータ信号の複数の推定値を決定するために設けられた回路部（１５０）とを少なくとも備えた装置。
【請求項２９】  上記回路部は複数のサブバンド処理された受信されたデータ信号から上記複数のデータ信号の複数の推定値を決定するために設けられ、かつ複数の回路を備え、上記各回路は、上記複数のサブバンド処理された受信されたデータ信号の複数のサブバンドの一部に基づいて上記複数のデータ信号の上記推定値の一部を決定するために設けられた請求項２８記載の装置。
【請求項３０】  上記空間ダイバーシティ手段は少なくとも２つの受信手段を備え、上記回路部は上記空間ダイバーシティ手段によって上記複数の受信データ信号を受信するために設けられ、かつ複数の回路を備え、上記各回路は、上記空間ダイバーシティ手段の上記受信手段の１つから上記複数の受信データ信号を受信するために設けられた請求項２８記載の装置。
【請求項３１】  上記複数のデータ信号の上記決定は本質的に、上記複数の受信されたデータ信号の個々の空間シグネチャに基づいている請求項２８記載の装置。
【請求項３２】  上記複数のデータ信号の上記複数の推定値の上記決定は、１つのサブバンドずつ実行される請求項２８記載の装置。
【請求項３３】  逆サブバンド処理された複数の合成されたデータ信号を送信する装置であって、
少なくとも１つの空間ダイバーシティ送信手段と、
複数のデータ信号を合成するために設けられた回路部と、
複数の合成されたデータ信号を逆サブバンド処理するために設けられた回路部と、
複数の逆サブバンド処理された合成されたデータ信号を上記空間ダイバーシティ送信手段によって送信するために設けられた回路部とを少なくとも備えた装置。
【請求項３４】  上記回路部は、複数のデータ信号を合成するように適応され、かつ複数の回路を備え、上記各回路は、複数のデータ信号の複数のサブバンドの一部に基づいて上記複数のデータ信号を合成するように適応された請求項３３記載の装置。
【請求項３５】  上記空間ダイバーシティ送信手段は少なくとも２つの送信手段を備え、上記回路部は、複数の逆サブバンド処理された合成されたデータ信号を送信するように適応され、かつ複数の回路を備え、上記各回路は、上記空間ダイバーシティ手段の上記送信手段の１つによって上記複数の逆サブバンド処理された合成されたデータ信号を送信するように適応された請求項３３記載の装置。
【請求項３６】  上記複数の逆サブバンド処理された合成されたデータ信号のスペクトルは少なくとも部分的にオーバーラップしている請求項３３記載の装置。
【請求項３７】  複数のデータ信号の上記合成は本質的に、上記複数の送信された逆サブバンド処理済みの合成されたデータ信号の個々の空間シグネチャに基づいている請求項３３記載の装置。
【請求項３８】  複数の合成されたデータ信号を決定するステップは、１つのサブバンドずつ実行される請求項３３記載の装置。